(57)【要約】      （修正有）【課題】製造コストが安価で、かつ、使い勝手が良く、十分な使用効果を果たせる眉書用テンプレートを提供する。【解決手段】左プレート２０と右プレート３０とをその端部同士で結合してなるテンプレート本体１０と、前記左プレートにあてがって使用する左補助プレート４０と前記右プレートにあてがって使用する右補助プレート５０とからなるものであって、左右の各プレートは眉形の切り欠き部２３、３３を有し、右プレートと左プレートとはそれぞれ左右方向の長孔２２、３２を有し、これら長孔に支軸１１をはめ込むことによって、当該支軸を中心にして左右の各プレートが回転して角度が変わり、かつ、左右にスライドして近接離隔するように構成し、左右の各補助プレートは眉尻形の切り欠き部４３、５３を有し、左右の各プレートの切り欠き部に左右の各補助プレートの切り欠き部を重ねると各切り欠き部が連続するように構成した。【選択図】図１
0003126620.tif 000002
【実用新案登録請求の範囲】
【請求項１】
左プレートと右プレートとを回動及び摺動自在に結合してなるテンプレート本体と、
前記左プレートに重ね合わせて使用する左補助プレートと、前記右プレートに重ね合わせて使用する右補助プレートとからなるものであって、
左右の各プレートはそれぞれ左右対称の眉形の切り欠き部を有し、
左右の各補助プレートはそれぞれ左右対称の眉尻形の切り欠き部を有し、
左右の各プレートの切り欠き部に左右の各補助プレートの切り欠き部をそれぞれ重ね合わせると眉形の切り欠き部と眉尻型の切り欠き部とで新たな眉形の切り欠き部が形成され、
左右の各プレートの切り欠き部と左右の各補助プレートの切り欠き部との重ね合わせ位置を変更することにより、種々の新たな眉形の切り欠き部が形成されるように構成した
ことを特徴とする眉書用テンプレート。
【請求項２】
左プレートと右プレートとが左右対称形をなすことを特徴とする請求項１に記載の眉書用テンプレート。
【請求項３】
左補助プレートと右補助プレートとが左右対称形をなすことを特徴とする請求項１又は２に記載の眉書用テンプレート。
【請求項４】
左プレートの右側端部と右プレートの左側端部とにそれぞれ左右方向の長孔を形成し、これらの長孔に支軸をはめ込んで軸着することにより左プレートと右プレートとをその端部同士で結合することによって、当該支軸を中心にして左右の各プレートが回動して角度が変わり、かつ、左右の各プレートが左右に摺動して近接離隔するように構成したことを特徴とする請求項１〜３のいずれか１項に記載の眉書用テンプレート。
【請求項５】
左右の各補助プレートと左右の各プレートとを重ね合わせたときの左右の各補助プレートの接触面又は左右の各プレートの接触面のうち、一方又は双方の接触面が再剥離可能な粘着性を有することを特徴とする請求項１〜４のいずれか１項に記載の眉書用テンプレート。
【請求項６】
左右の各補助プレートと左右の各プレートとを重ね合わせたときの左右の各補助プレートの接触面又は左右の各プレートの接触面のうち、一方の接触面に２個所以上で一組の突起を形成し、この一組の突起に対応する一組の孔を他方の接触面に複数組形成したことを特徴とする請求項１〜４のいずれか１項に記載の眉書用テンプレート。
【請求項７】
テンプレート本体の左右両端部に締め緩め調節可能な締結紐を設けて環状に形成したことを特徴とする請求項１〜５のいずれか１項に記載の眉書用テンプレート。
【考案の詳細な説明】
【技術分野】
【０００１】
本考案は、眉のメークアップ時に、自己の好みに応じた形の眉を容易に描くことができる眉書用テンプレート（以下、単に「テンプレート」という。）に関するものである。
【背景技術】
【０００２】
従来より、下記特許文献１〜４に示されるような種々のテンプレートが提案されている。
【特許文献１】特開平９−７０３１８号
【特許文献２】特開平１０−１０８７３０号
【特許文献３】特開２００２−１１２８３３号
【特許文献４】特開２００２−２６１５３０号
【考案の開示】
【考案が解決しようとする課題】
【０００３】
しかしながら、上記特許文献１〜４に示されるものは、コストが高くつく、使い勝手が悪い、などの理由により、十分な使用効果が得られるものではなかった。
【０００４】
そこで、本考案者は、鋭意研究を重ね、製造コストが安価で、かつ、使い勝手が良好で、十分な使用効果を果たせるテンプレートを開発した。
【課題を解決するための手段】
【０００５】
本考案に係るテンプレートは、左プレートと右プレートとを回動及び摺動自在に結合してなるテンプレート本体と、前記左プレートに重ね合わせて使用する左補助プレートと、前記右プレートに重ね合わせて使用する右補助プレートとからなるものであって、左右の各プレートはそれぞれ左右対称の眉形の切り欠き部を有し、左右の各補助プレートはそれぞれ左右対称の眉尻形の切り欠き部を有し、左右の各プレートの切り欠き部に左右の各補助プレートの切り欠き部をそれぞれ重ね合わせると眉形の切り欠き部と眉尻型の切り欠き部とで新たな眉形の切り欠き部が形成され、左右の各プレートの切り欠き部と左右の各補助プレートの切り欠き部との重ね合わせ位置を変更することにより、種々の新たな眉形の切り欠き部が形成されるように構成したことを特徴とするものである。
【０００６】
上記のように構成したことにより、本考案に係るテンプレートは、左右の各プレートを回動させたり摺動させることにより、使用者が描こうとする好みの眉の形態に応じて変形できるので、使い勝手がよい。また、当該テンプレートは、構造がシンプルであり、かつ、パーツ点数も少ないため、製造コストを低く抑えることができる。
【０００７】
上記テンプレートにおいて、左プレートと右プレートとが左右対称形をなすように構成してもよく、また、上記テンプレートにおいて、左補助プレートと右補助プレートとが左右対称形をなすように構成してもよい。
【０００８】
また、上記テンプレートにおいて、左プレートの右側端部と右プレートの左側端部とにそれぞれ左右方向の長孔を形成し、これらの長孔に支軸をはめ込んで軸着することにより左プレートと右プレートとをその端部同士で結合することによって、当該支軸を中心にして左右の各プレートが回動して角度が変わり、かつ、左右の各プレートが左右に摺動して近接離隔するように構成してもよい。
【０００９】
さらに、上記テンプレートおいて、左右の各補助プレートと左右の各プレートとを重ね合わせたときの左右の各補助プレートの接触面又は左右の各プレートの接触面のうち、一方又は双方の接触面が再剥離可能な粘着性を有するように形成した場合には、左右の各補助プレートを左右の各プレートに自在に固定できる。
【００１０】
さらにまた、上記テンプレートにおいて、左右の各補助プレートと左右の各プレートとを重ね合わせたときの左右の各補助プレートの接触面又は左右の各プレートの接触面のうち、一方の接触面に２個所以上で一組の突起を形成し、この一組の突起に対応する一組の孔を他方の接触面に複数組形成した場合には、左右の各補助プレートを左右の各プレートの複数の個所の定められた位置に固定できる。
【００１１】
また、上記テンプレートにおいて、テンプレート本体の左右両端部に締め緩め調節可能な締結紐を設けて環状に形成すれば、テンプレートの顔面に対する装着が行いやすくなるので、使い勝手向上する利点がある。
【考案の効果】
【００１２】
本考案に係るテンプレートは、上記のような構成であるため、製造コストが安価で、かつ、使い勝手が良く、十分な使用効果を果たせるものである。
【考案を実施するための最良の形態】
【００１３】
以下に、本考案に係る好適な実施例を添付の図面を参照しながら説明する。
【実施例１】
【００１４】
図１は本実施例に係るテンプレートの斜視図であり、図２は該テンプレートの使用状態を示す斜視図であり、図３はテンプレート本体の平面図であり、図４は左プレートの平面図であり、図５は右プレートの平面図であり、図６は左補助プレートの平面図であり、図７は右補助プレートの平面図であり、図８はテンプレート本体に左右の補助プレートを取り付けた状態の一例を示す平面図であり、図９はテンプレート本体に左右の補助プレートを取り付けた状態の他の一例を示す平面図である。
【００１５】
図１及び図２において、Ａは本実施例に係るテンプレートであって、テンプレートＡはテンプレート本体１０と左右の補助プレート４０、５０と締結紐６０とから構成される。
【００１６】
テンプレート本体１０は、図３に示すように、それぞれ左右対称の形状をなす左プレート２０と右プレート３０とを回動及び摺動自在に結合することにより形成される。すなわち、図４に示すように、左プレート２０の右側端の半円状突出部２１に左右方向の長孔２２を形成し、図５に示すように、右プレート３０の左側端の半円状突出部３１に左右方向の長孔３２を形成し、これらの長孔２２、３２を重ね合わせ、支軸１１をはめ込んで軸着することにより左プレート２０と右プレート３０とがその端部同士で結合することによって、テンプレート本体１０は当該支軸１１を中心にして左右の各プレート２０、３０が回動して角度が変わり、かつ、左右の各プレート２０、３０が左右に摺動して近接離隔するように構成されている。そして、左プレート２０には左の眉形の切り欠き部２３が形成されており、右プレート３０には右の眉形の切り欠き部３３が形成されており、左の眉形の切り欠き部２３と右の眉形の切り欠き部３３とは左右対称の形状をなしている。このように本実施例に係るテンプレートＡを構成したことにより、左右の各プレート２０、３０を回動させたり摺動させることにより、使用者が描こうとする好みの眉の形態に応じて変形できるので、使い勝手がよい。
【００１７】
図６及び図７に示す左右の補助プレート４０、５０は、図８に示すように、それぞれ左右対称の形状をなし、左補助プレート４０は左プレート２０に重ね合わせて使用し、右補助プレート５０は右プレート３０に重ね合わせて使用する。左補助プレート４０には右端を開口部４１とする左の眉尻形の切り欠き部４３が形成されており、右の補助プレート５０には左端を開口部５１とする右の眉尻形の切り欠き部５３が形成されており、左の眉尻形の切り欠き部４３と右の眉尻形の切り欠き部５３とは左右対称の形状をなしている。
【００１８】
そして、図８に示すように、左右の各プレート２０、３０の切り欠き部２３、３３に左右の各補助プレート４０、５０の切り欠き部４３、５３をそれぞれ重ね合わせると、各補助プレート４０、５０の切り欠き部４３、５３の開口部４１、５１を通じて左右の各プレート２０、３０の切り欠き部２３、３３と左右の各補助プレート４０、５０の切り欠き部４３、５３とが連続するので、眉形の切り欠き部２３、３３と眉尻型の切り欠き部４３、５３とで新たな眉形の切り欠き部Ｓ１、Ｐ１が形成される。また、図９に示すように、左右の各補助プレート４０、５０を図８に示す場合よりもそれぞれ左右両側に寄せて左右の各プレート２０、３０の切り欠き部２３、３３と左右の各補助プレート４０、５０の切り欠き部４３、５３との重ね合わせ位置を変更すると新たな眉形の切り欠き部Ｓ２、Ｐ２が形成される。このように本実施例におけるテンプレートＡは、眉形の切り欠き部を使用者の好みに応じて自由に変化させることができる。
【００１９】
なお、本実施例におけるテンプレートＡは、使用の使い勝手を向上させるために、上記のように左右の各プレート２０、３０の切り欠き部２３、３３に左右の各補助プレート４０、５０の切り欠き部４３、５３をそれぞれ重ね合わせて確実に固定できるように、左右の各プレート２０、３０と左右の各補助プレート４０、５０とに以下の工夫がなされている。
【００２０】
すなわち、左補助プレート４０には、図６に示すように、その裏面に３箇一組の突起（４４ａ１、４４ａ２、４４ａ３）が形成されており、右補助プレート５０にも、図７に示すように、その裏面に３箇一組の突起（５４ａ１、５４ａ２、５４ａ３）が形成されている。また、左プレート２０には、図４に示すように、３箇一組の孔が複数組（２４ａ１、２４ａ２、２４ａ３）（２４ｂ１、２４ｂ２、２４ｂ３）（２４ｃ１、２４ｃ２、２４ｃ３）・・・設けられており、右プレート３０には、図５に示すように、３箇一組の孔が複数組（３４ａ１、３４ａ２、３４ａ３）（３４ｂ１、３４ｂ２、３４ｂ３）（３４ｃ１、３４ｃ２、３４ｃ３）・・・設けられている。そして、図８に示す左右の各プレート２０、３０と左右の各補助プレート４０、５０との重ね状態においては、左補助プレート４０における３箇一組の突起（４４ａ１、４４ａ２、４４ａ３）が左プレート２０における３箇一組の孔（２４ａ１、２４ａ２、２４ａ３）に嵌め込まれ、右補助プレート５０における３箇一組の突起（５４ａ１、５４ａ２、５４ａ３）が右プレート３０における３箇一組の孔（３４ａ１、３４ａ２、３４ａ３）に嵌め込まれて、左右の各プレート２０、３０に左右の各補助プレート４０、５０がそれぞれ固定されるようになっている。図９に示す左右の各プレート２０、３０と左右の各補助プレート４０、５０との重ね状態においては、左補助プレート４０における３箇一組の突起（４４ａ１、４４ａ２、４４ａ３）が左プレート２０における３箇一組の孔（２４ｃ１、２４ｃ２、２４ｃ３）に嵌め込まれ、右補助プレート５０における３箇一組の突起（５４ａ１、５４ａ２、５４ａ３）が右プレート３０における３箇一組の孔（３４ｃ１、３４ｃ２、３４ｃ３）に嵌め込まれて、左右の各プレート２０、３０に左右の各補助プレート４０、５０がそれぞれ固定されるようになっている。なお、左右の各補助プレートと左右の各プレートとを重ね合わせたときの左右の各補助プレートの接触面又は左右の各プレートの接触面のうち、一方又は双方の接触面が再剥離可能な粘着性を有するように形成した場合には、左右の各補助プレートを左右の各プレートに自在に固定できる。
【００２１】
また、上記テンプレートＡは、テンプレート本体１０の左右両端部１２、１３に、締め緩め調節具６１を備えた伸縮性紐６２よりなる締結紐６０を設けて環状に形成しているので、テンプレートＡを顔面に装着しやすく、使い勝手を向上させている。
【００２２】
以上のように、本実施例に係るテンプレートＡは、構造がシンプルであり、かつ、パーツ点数も少ないため、製造コストを低く抑えることができ、かつ、使い勝手が良く、十分な使用効果を果すものである。
【図面の簡単な説明】
【００２３】
【図１】実施例１に係る眉書用テンプレートの斜視図である。
【図２】実施例１に係る眉書用テンプレートの使用状態を示す斜視図である。
【図３】実施例１に係る眉書用テンプレートを構成するテンプレート本体の平面図である。
【図４】図３に示すテンプレート本体を構成する左プレートの平面図である。
【図５】図３に示すテンプレート本体を構成する右プレートの平面図である。
【図６】実施例１に係る眉書用テンプレートを構成する左補助プレートの平面図である。
【図７】実施例１に係る眉書用テンプレートを構成する右補助プレートの平面図である。
【図８】図３に示すテンプレート本体に左右の補助プレートを取り付けた状態の一例を示す平面図である。
【図９】図３に示すテンプレート本体に左右の補助プレートを取り付けた状態の他の一例を示す平面図である。
【符号の説明】
【００２４】
Ａ・・・・眉書用テンプレート
Ｓ１、Ｐ１・・新たな眉形の切り欠き部
Ｓ２、Ｐ２・・新たな眉形の切り欠き部
１０・・・テンプレート本体
１１・・・支軸
１２、１３・・テンプレート本体の左右両端部
２０・・・左プレート
２１・・・左プレートの右側端の半円状突出部
２２・・・左プレートの半円状突出部における長孔
２３・・・左プレートにおける左の眉形の切り欠き部
２４ａ１、２４ａ２、２４ａ３・・左プレート２０における３箇一組の孔
２４ｂ１、２４ｂ２、２４ｂ３・・左プレート２０における３箇一組の孔
２４ｃ１、２４ｃ２、２４ｃ３・・左プレート２０における３箇一組の孔
３０・・・右プレート
３１・・・右プレートの左側端の半円状突出部
３２・・・右プレートの半円状突出部における長孔
３３・・・右プレートにおける右の眉形の切り欠き部
３４ａ１、３４ａ２、３４ａ３・・右プレート３０における３箇一組の孔
３４ｂ１、３４ｂ２、３４ｂ３・・右プレート３０における３箇一組の孔
３４ｃ１、３４ｃ２、３４ｃ３・・左プレート３０における３箇一組の孔
４０・・・左補助プレート
４１・・・左補助プレート右端の開口部
４３・・・左補助プレートにおける左の眉尻形の切り欠き部
４４ａ１、４４ａ２、４４ａ３・・・左補助プレートにおける３箇一組の突起
５０・・・右補助プレート
５１・・・右補助プレート左端の開口部
５３・・・右補助プレートにおける右の眉尻形の切り欠き部
５４ａ１、５４ａ２、５４ａ３・・・右補助プレートにおける３箇一組の突起
６０・・・締結紐
６１・・・締め緩め調節具
６２・・・伸縮性紐
【図１】
0003126620.tif 000003
【図２】
0003126620.tif 000004
【図３】
0003126620.tif 000005
【図４】
0003126620.tif 000006
【図５】
0003126620.tif 000007
【図６】
0003126620.tif 000008
【図７】
0003126620.tif 000009
【図８】
0003126620.tif 000010
【図９】
0003126620.tif 000011